(57)【要約】【課題】利用者が操作途中で退去しても第三者に利用者の個人情報が閲覧される可能性のない情報端末システムを提供する。【解決手段】利用者Ｕが所持するＩＣカードまたはＩＣチップ内蔵携帯機器１０と操作面に設けられた操作用アンテナ２１との間で通信を行ってデータの送受を行うことによって表示画面２２ａに情報を表示する情報端末システム２０であって、利用者Ｕが所持するＩＣカード１０との間で通信を行ってデータの送受を行うことによって利用者Ｕが存在することを検出する少なくとも１つの存在検出アンテナ２４ａ，２４ｂ，２４ｃを備え、表示画面に情報が表示されているときに、存在検出アンテナとＩＣカードとの間での通信が途絶したときは、表示画面の情報の表示を消去する。【選択図】図１
2007199935.tif 000002
【特許請求の範囲】
【請求項１】
利用者が所持するＩＣカードまたはＩＣチップ内蔵携帯機器と操作面に設けられた操作用アンテナとの間で通信を行ってデータの送受を行うことによって表示画面に情報を表示する情報端末システムであって、
前記利用者が所持する前記ＩＣカードまたは前記ＩＣチップ内蔵携帯機器との間で通信を行ってデータの送受を行うことによって前記利用者が存在することを検出する少なくとも１つの存在検出アンテナを備え、
前記表示画面に前記情報が表示されているときに、前記存在検出アンテナと前記ＩＣカードまたは前記ＩＣチップ内蔵携帯機器との間での通信が途絶したときは、前記表示画面の前記情報の表示を消去することを特徴とする情報端末システム。
【請求項２】
前記情報は、利用者に係る個人情報であることを特徴とする請求項１記載の情報端末システム。
【請求項３】
前記存在検出アンテナは、前記表示画面を見るために前記利用者が位置する場所から前記利用者が所持する前記ＩＣカードまたは前記ＩＣチップ内蔵携帯機器と前記存在検出アンテナとの間での通信が行うことが可能な位置に設けられることを特徴とする請求項１または２記載の情報端末システム。
【請求項４】
前記存在検出アンテナは、前記表示画面を見るために前記利用者が立つ位置の周囲に配置されることを特徴とする請求項１〜３のいずれか１項に記載の情報端末システム。
【請求項５】
前記存在検出アンテナは、前記表示画面の周囲に配置されることを特徴とする請求項１〜３のいずれか１項に記載の情報端末システム。
【請求項６】
前記操作用アンテナと少なくとも１つの前記存在検出アンテナからそれぞれ順番に電波が放射されるように制御するアンテナマルチプレクサを備えることを特徴とする請求項１〜５のいずれか１項に記載の情報端末システム。
【発明の詳細な説明】
【技術分野】
【０００１】
本発明は情報端末システムに関し、特に、人が所持するＩＣカードと操作用アンテナとの間での通信を利用して、個人情報を含む情報を表示する情報端末システムに関する。
【背景技術】
【０００２】
近年、ＩＣカードの普及に伴い、ＩＣカードを利用して公共の情報端末（例えば情報ＫＩＯＳＫ等）で利用者の氏名等の個人情報が表示される機会が増えている。これら情報端末では、ＩＣカードを必ずしも情報端末の入出力機器へ挿入せず、必要時に操作用アンテナへ接触あるいは接近させる操作方式を採るものがある（例えば、特許文献１参照）。また、ＩＣカード以外にも、ＩＣチップを内蔵した携帯電話によっても利用できる情報端末も考えられている。
【特許文献１】特開２００４−３５５１７９号公報
【発明の開示】
【発明が解決しようとする課題】
【０００３】
上記のＩＣカードを接触あるいは接近させる操作方式によれば、公共の情報端末で利用者の個人情報が表示される場合、利用者が何らかの理由により最後まで情報端末の操作を継続せず途中で操作放棄をして立ち去るケースが考えられる。この場合、利用者が操作を放棄することを情報端末に入力しないと、操作途中の表示が残り、その表示に含まれる個人情報が第３者に閲覧される可能性がある。従来は、一定時間操作がないことや、赤外線を用いた人間検知により利用者が立ち去ったとみなし、表示画面の表示消去を行い、情報の保護を行ってきたが、消去遅延や人の動きによっては必ずしも完全な情報の保護は不可能であった。
【０００４】
本発明の目的は、上記の課題に鑑み、利用者が操作途中で退去しても第三者に利用者の個人情報が閲覧される可能性のない情報端末システムを提供することにある。
【課題を解決するための手段】
【０００５】
本発明に係る情報端末システムは、上記の目的を達成するため、次のように構成される。
【０００６】
第１の情報端末システム（請求項１に対応）は、利用者が所持するＩＣカードまたはＩＣチップ内蔵携帯機器と操作面に設けられた操作用アンテナとの間で通信を行ってデータの送受を行うことによって表示画面に情報を表示する情報端末システムであって、利用者が所持するＩＣカードまたはＩＣチップ内蔵携帯機器との間で通信を行ってデータの送受を行うことによって利用者が存在することを検出する少なくとも１つの存在検出アンテナを備え、表示画面に情報が表示されているときに、存在検出アンテナとＩＣカードまたはＩＣチップ内蔵携帯機器との間での通信が途絶したときは、表示画面の情報の表示を消去することで特徴づけられる。
【０００７】
上記の構成によれば、利用者が所持するＩＣカードまたはＩＣチップ内蔵携帯機器との間で通信を行ってデータの送受を行うことによって利用者が存在することを検出する少なくとも１つの存在検出アンテナを備え、表示画面に情報が表示されているときに、存在検出アンテナとＩＣカードまたはＩＣチップ内蔵携帯機器との間での通信が途絶したときは、表示画面の情報の表示を消去するため、利用者が操作途中で退去しても第三者に利用者の個人情報が閲覧される可能性のない情報端末システムを構成することができる。
【０００８】
第２の情報端末システム（請求項２に対応）は、上記の構成において、好ましくは、情報は、利用者に係る個人情報であることで特徴づけられる。
【０００９】
第３の情報端末システム（請求項３に対応）は、上記の構成において、好ましくは、存在検出アンテナは、表示画面を見るために利用者が位置する場所から利用者が所持するＩＣカードまたはＩＣチップ内蔵携帯機器と存在検出アンテナとの間での通信が行うことが可能な位置に設けられることで特徴づけられる。
【００１０】
第４の情報端末システム（請求項４に対応）は、上記の構成において、好ましくは、存在検出アンテナは、表示画面を見るために利用者が立つ位置の周囲に配置されることで特徴づけられる。
【００１１】
第５の情報端末システム（請求項５に対応）は、上記の構成において、好ましくは、存在検出アンテナは、表示画面の周囲に配置されることで特徴づけられる。
【００１２】
第６の情報端末システム（請求項６に対応）は、上記の構成において、好ましくは、操作用アンテナと少なくとも１つの存在検出アンテナからそれぞれ順番に電波が放射されるように制御するアンテナマルチプレクサを備えることで特徴づけられる。
【発明の効果】
【００１３】
本発明によれば、利用者が所持するＩＣカードまたはＩＣチップ内蔵携帯機器との間で通信を行ってデータの送受を行うことによって利用者が存在することを検出する少なくとも１つの存在検出アンテナを備え、表示画面に情報が表示されているときに、存在検出アンテナとＩＣカードまたはＩＣチップ内蔵携帯機器との間での通信が途絶したときは、表示画面の情報の表示を消去するため、利用者が操作途中で退去しても第三者に利用者の個人情報が閲覧される可能性のない情報端末システムを構成することができる。
また、本発明によれば、存在検出アンテナは、表示画面を見るために利用者が位置する場所から利用者が所持するＩＣカードまたはＩＣチップ内蔵携帯機器と存在検出アンテナとの間での通信が行うことが可能な位置に設けられるため、情報端末システムの近くから利用者が退去したとき、利用者が存在しなくなったことを確実に検知することができ、そのとき、確実に表示画面の表示を消去することができる。
【発明を実施するための最良の形態】
【００１４】
以下に、本発明の好適な実施形態（実施例）を添付図面に基づいて説明する。
【００１５】
図１〜図７を参照して本発明の第１実施形態に係る情報端末システムの構成を説明する。図１は本発明の第１実施形態に係る情報端末システムの斜視図である。図２は、本発明の第１実施形態に係る情報端末システムを利用者が利用している様子を示す図である。図１と図２に示すように、情報端末システム２０は、利用者Ｕが所持するＩＣカード１０と操作用アンテナ２１の間で通信を行って、データの送受を行い、表示画面２２ａに個人情報を含む情報を表示するための装置である。
【００１６】
図１と図２において、情報端末システム２０は、情報端末本体２３、存在検出部２４から主に構成される。
【００１７】
情報端末本体２３は、フレーム２５と表示装置２２（図３参照）と操作用アンテナ２１と制御装置２６（図３参照）を有している。表示装置２２には、表示画面２２ａを備えた表示部２２ｂと操作部２２ｃ（図３参照）とが設けられている。情報端末本体２３の表示画面を見るために利用者が立つ位置の周囲に、存在検出部２４が設けられている。存在検出部２４は、フレーム２７を備え、フレーム２７の両サイドと上部には、存在検出アンテナ２４ａ，２４ｂ，２４ｃが設けられている。図２に示すように、存在検出アンテナ２４ａ，２４ｂ，２４ｃは、表示画面２２ａを見るために利用者Ｕが位置する場所から利用者Ｕが所持するＩＣカード１０と存在検出アンテナ２４ａ，２４ｂ，２４ｃとの間での通信が行うことが可能な位置に設けられている。利用者Ｕが情報端末システム２０の情報端末本体２３の前に立ち、ＩＣカード１０を操作用アンテナ２１にＩＣカード１０と操作用アンテナ２１との間での通信が可能な程度に接近あるいは接触させることにより、表示画面２２ａにスタートメニューが表示される。スタートメニューを指により接触させて選択することにより利用者Ｕは、表示画面２２ａに個人情報を含む情報を表示させることができる。また、存在検出アンテナ２４ａ，２４ｂ，２４ｃは、検出感度が操作用アンテナ２１よりも高く、ＩＣカード１０と数１０ｃｍ以上離れていてもＩＣカード１０との通信が可能なものを用いている。
【００１８】
存在検出部２４の３つの存在検出アンテナ２４ａ，２４ｂ，２４ｃから電波が放射され、利用者Ｕが所持するＩＣカード１０との通信が成立する間は、利用者Ｕが存在するとして、表示画面２２ａの画面表示を継続して、利用者Ｕは、表示画面２２ａの表示を見ることができる。利用者Ｕが立ち去り、３つの存在検出アンテナ２４ａ，２４ｂ，２４ｃすべてとＩＣカード１０との通信が成立しなくなったときは、利用者Ｕが立ち去ったとみなし、表示画面２２ａの表示が直ちに消去される。それにより、第３者に個人情報を見られることを防ぐことができる。
【００１９】
図３は、情報端末システム２０のブロック図である。情報端末システム２０は、制御装置２６と表示部２２ｂと操作部２２ｃを備えた表示装置２２と操作用アンテナ２１と存在検出アンテナ２４ａ，２４ｂ，２４ｃを備えている。制御装置２６は、表示部２２ｂの制御と操作部２２ｃの制御を行う。また、制御装置２６は、操作用アンテナ２１から入力されたＩＣカード１０からの信号を処理し、表示装置２４のスタートメニューの表示などの駆動の制御を行う。また、制御装置２６は、存在検知アンテナ２４ａ，２４ｂ，２４ｃの制御を行う。制御装置２６の内部構成として、制御部３１と、ＩＣカードリーダライタ３２と、アンテナマルチプレクサ３３を備えている。そして、制御部３１と、ＩＣカードリーダライタ３２と、アンテナマルチプレクサ３３は、バス３４により、データを送受できるようにそれぞれ接続されている。また、制御部３１は図示しない外部のコンピュータと接続されている。
【００２０】
制御部３１は、ＩＣカードリーダライタ３２と表示部２２ｂと操作部２２ｃの制御を行う。そのために、制御部３１は、図４で示すように操作用アンテナ信号処理部３１ａと存在検出アンテナ信号処理部３１ｂと表示信号処理部３１ｃを備えている。各処理部３１ａ，３１ｂ，３１ｃは、バス３１ｄによりそれぞれ接続されている。各処理部３１ａ，３１ｂ，３１ｃでの処理は、後で詳細に説明する。ＩＣカードリーダライタ３２は、アンテナマルチプレクサ３３で処理されたデータを読み込み、また、ＩＣカードへの書き込み情報をアンテナマルチプレクサ３３を通して放射する。表示部２２ｂは、外部接続されたコンピュータからの情報を表示する。操作部２２ｃは、利用者Ｕが表示画面に触れて入力する入力部などを構成しており、入力部を指等で触れることにより、コンピュータから情報を取り出す指令を出すことができる。アンテナマルチプレクサ３３は、操作用アンテナ２１と存在検出アンテナ２４ａ，２４ｂ，２４ｃから順番に電波を放射し、操作用アンテナ２１と存在検出アンテナ２４ａ，２４ｂ，２４ｃからの信号を順番に受信するためのものである。これにより、アンテナ間の混信を避けることができる。
【００２１】
ＩＣカード１０は利用者Ｕが携帯・所持するものである。ＩＣカード１０は、図５で示すごとく、機能部として、ＣＰＵ４０と信号送受信部４１とデータ処理部４２と記憶部４３とアンテナ４４を備えている。ＣＰＵ４０は、信号送受信部４１とデータ処理部４２と記憶部４３を制御する。信号送受信部４１は、アンテナ４４で受けた信号を受信し、データ処理部４２に送り、また、データ処理部４２で処理されて得られたデータをアンテナ４４から送る。データ処理部４２は、信号送受信部４１から受けたデータを処理し、得られた結果を信号送受信部４１に送る。また、記憶部４３はＩＤを記憶しており、ＩＤ情報を信号送受信部４１に送り、アンテナ４４を介して外部に送信される。
【００２２】
上記のＩＣカード１０の代わりにＩＣカードと同様の機能を持たせた携帯電話などの携帯端末を利用することも可能である。
【００２３】
次に、本実施形態の情報端末システム２０における制御部３１での処理をフローチャートに従って説明する。図６は、操作用アンテナ信号処理部３１ａでの処理のプローチャートと存在検出アンテナ信号処理部３１ｂでの処理のフローチャートと表示信号処理部３１ｃでの処理フローチャートを示している。
【００２４】
図６で示すように、操作用アンテナ信号処理部３１ａでの処理は、まず、ＩＣカード１０が操作用アンテナ２１にＩＣカードとの間での通信が可能な程度に接近あるいは接触したかどうか判断する（ステップＳ１１）。以後、操作用アンテナ２１にＩＣカードとの間で通信が可能な程度に接近あるいは接触をした状態を「タッチ」ということにする。もし、ＩＣカード１０の操作用アンテナ２１へのタッチがないならば、タッチがあるまで、その処理を繰り返す。もし、ＩＣカード１０の操作用アンテナ２１へのタッチがあったならば、タッチ信号を存在検出アンテナ信号処理部３１ｂに送る。そして、ＩＤ確認処理を実行する（ステップＳ１２）。このＩＤ確認処理は、ＩＣカード１０からのＩＤ情報を読み取り、ＩＤを外部のコンピュータに送る処理である。その後、外部のコンピュータによってＩＤ確認されたかどうか判断する（ステップＳ１３）。もし、ＩＤが確認できなかったならばリターンする。もし、ＩＤが確認されたならば、ＩＤ確認信号を表示信号処理部３１ｃに送る（ステップＳ１４）。そして、リターンする。
【００２５】
存在検出アンテナ信号処理部３１ｂでは、タッチ信号ありかどうか判断する（ステップＳ２１）。もし、タッチ信号がなければ、タッチ信号があるまでその処理を繰り返す。もし、タッチ信号があったならば、図７で示す存在確認処理を実行する（ステップＳ２２）。後述するように存在確認処理では、利用者Ｕの存在が確認されなければ、フラグを１にし、利用者の存在が確認されたらフラグを０にする。ステップＳ２３では、フラグが１かどうか判断する。もし、フラグが１ならば、存在なし信号を表示信号処理部３１ｃに送る（ステップＳ２４）。ステップＳ２５でフラグを０とし、リターンする。
【００２６】
表示信号処理部３１ｃでは、ＩＤ確認信号があるかどうか判断する（ステップＳ３１）。もし、ＩＤ確認信号がないならば、その処理を繰り返す。もし、ＩＤ確認信号があったならば、存在なし信号があるかどうか判断する（ステップＳ３２）。もし、存在なし信号がなかったならば、画面表示処理を行い、画面表示を続行する（ステップＳ３３）。また、存在なし信号があったならば、表示消去処理を行い、表示を消去する（ステップＳ３４）。
【００２７】
図７は、存在確認処理（ステップＳ２２）のフローチャートである。この処理では、まず、存在検出アンテナの１つからＩＣカードへ問い合わせ電波放射する（ステップＳ２２１）。次に、ＩＣカードからの応答があるかどうか判断する（ステップＳ２２２）。もし、ＩＣカードからの応答があれば、アンテナ切換を実行し（ステップＳ２２３）、ステップＳ２２１を実行する。もし、ＩＣカードからの応答がなければ、次に全アンテナで応答なしかどうか判断する（ステップＳ２２４）。もし、全アンテナでＩＣカードからの応答がなければ、フラグを１とする（ステップＳ２２５）。ＩＣカードからの応答があれば、フラグを０にし（ステップＳ２２６）、アンテナ切換を実行する（ステップＳ２２３）。
【００２８】
以上のように、表示画面に情報が表示されているときに、存在検出アンテナ２４ａ，２４ｂ，２４ｃとＩＣカード１０との間での通信が途絶したときは、表示画面の情報の表示を消去するため、操作途中で退去しても第３者に個人情報が閲覧される可能性をなくすことができる。
【００２９】
次に、図８を参照して本発明の第２実施形態に係る情報端末システムの構成を説明する。
【００３０】
第２実施形態に係る情報端末システムは、基本的に図１で示した情報端末システムと同様であるが、情報端末システム５０は、図８で示すように情報端末本体２１に存在検出アンテナ５１ａ，５１ｂ，５１ｃ，５１ｄを有している。これらの存在検出アンテナは、配置が第１実施形態とは異なる以外は第１実施形態での存在検出アンテナ２４ａ，２４ｂ，２４ｃと同様のものを用いている。この場合、４つの存在検出アンテナを用いているが、それらの制御は、第１実施形態と同様にアンテナマルチプレクサにより、順番に電波を放射してアンテナ間の混信を防止している。この情報端末システム５０も、利用者Ｕが所持するＩＣカード１０と操作用アンテナ２１の間で通信を行ってデータの送受を行い、情報を表示する装置である。情報端末システム５０の内部構成は第１実施形態と同様なので各部の詳細な説明は省略する。また、本実施形態の情報端末システム５０における処理も第１実施形態と同様であるので詳細な説明は省略する。
【００３１】
図８において、情報端末システム５０は、情報端末本体５１から構成される。
【００３２】
情報端末本体５１は、フレーム５３と表示装置２２と操作用アンテナ２１と制御装置２６（図３参照）を有している。表示装置２２には、表示画面２２ａを備えた表示デバイスと操作系（図３参照）とが設けられている。情報端末本体５１の表示画面の周囲に存在検出アンテナ５１ａ，５１ｂ，５１ｃ，５１ｄが設けられている。利用者Ｕが情報端末システムの情報端末本体５１の前に立ち、ＩＣカードを操作用アンテナ２１に接近させることにより、表示画面にスタートメニューが表示される。スタートメニューを指により接触させて選択することにより利用者Ｕは、個人情報を含む情報を表示することができる。
【００３３】
この情報端末システム５０では、４つの存在検出アンテナ５１ａ，５１ｂ，５１ｃ，５１ｄから電波が放射され、利用者が所持するＩＣカードとの通信が成立する間は、利用者が存在するとして、画面表示を継続して、利用者は、画面操作と表示を見ることができる。利用者が立ち去り、存在検出アンテナ５１ａ，５１ｂ，５１ｃ，５１ｄとＩＣカードとの通信が成立しなくなったときは、利用者が立ち去ったことを検出し、画面の表示が直ちに消去される。それにより、第三者に個人情報を見られることを防ぐことができる。
【００３４】
以上の実施形態で説明された構成、形状、大きさおよび配置関係については本発明が理解・実施できる程度に概略的に示したものにすぎず、また数値および各構成の組成（材質）については例示にすぎない。従って本発明は、説明された実施形態に限定されるものではなく、特許請求の範囲に示される技術的思想の範囲を逸脱しない限り様々な形態に変更することができる。
【産業上の利用可能性】
【００３５】
本発明は、利用者が使用途中に立ち去っても第三者に個人情報を見られることのないＩＣカードまたはＩＣチップ内蔵携帯機器を用いた情報端末システムとして利用される。
【図面の簡単な説明】
【００３６】
【図１】本発明の第１の実施形態に係る情報端末システムの斜視図である。
【図２】本発明の第１の実施形態に係る情報端末システムを利用者が利用している様子を示す図である。
【図３】第１実施形態での情報端末システムのブロック図である。
【図４】制御部の内部構成を示す図である。
【図５】ＩＣカードのブロック図である。
【図６】本発明の第１の実施形態に係る制御部での処理を説明するフローチャートである。
【図７】存在確認処理のフローチャートである。
【図８】本発明の第２の実施形態に係る情報端末システムの斜視図である。
【符号の説明】
【００３７】
１０      ＩＣカード
２０      情報端末システム
２１      操作用アンテナ
２２      表示装置
２２ａ    表示画面
２３      情報端末本体
２４      存在検出部
２４ａ    存在検出アンテナ
２４ｂ    存在検出アンテナ
２４ｃ    存在検出アンテナ
２５      フレーム
３３      アンテナマルチプレクサ
【図１】
2007199935.tif 000003
【図２】
2007199935.tif 000004
【図３】
2007199935.tif 000005
【図４】
2007199935.tif 000006
【図５】
2007199935.tif 000007
【図６】
2007199935.tif 000008
【図７】
2007199935.tif 000009
【図８】
2007199935.tif 000010